(57)【要約】【課題】  映像を立体的に表示することができるグリーティングカードを、封筒に収納して簡易に郵送等で送ることができ、受け取った人は立体的な映像を気軽に楽しむことができるグリーティングカードシステムを提供することにある。【解決手段】  封筒に収納可能な略平板状に台板を折り畳み可能で、台板を開いた状態で上方の少なくとも一部が開放されると共に台板上に映像を表示するための表示手段を載置可能に起立する表示手段載置部と、台板を開いた状態で、表示手段載置部の内側に、表示手段載置部に載置された表示手段の表示面に対して傾斜して配置されると共に、傾斜面の表面が目視可能に設けられた透光板と、を有する立体表示手段であるグリーティングカードと、表示手段とは別に、表示手段の表示面に表示させる映像を保存する保存手段とを備えることを特徴とする。【選択図】図１
2017227684.tif 000002
【特許請求の範囲】
【請求項１】
封筒に収納可能なグリーティングカードを用いたグリーティングカードシステムにおいて、
封筒に収納可能な略平板状に台板を折り畳み可能で、該台板を開いた状態で上方の少なくとも一部が開放されると共に該台板上に映像を表示するための表示手段を載置可能に起立する表示手段載置部と、該台板を開いた状態で、該表示手段載置部の内側に、該表示手段載置部に載置された該表示手段の表示面に対して傾斜して配置されると共に、傾斜面の表面が目視可能に設けられた透光板と、を有する立体表示手段である該グリーティングカードと、
該表示手段とは別に、該表示手段の表示面に表示させる該映像を保存する保存手段とを備え、
該台板を開いた状態で該台板上に起立する表示手段載置部に、該表示手段を載置し、該表示手段の表示面に表示された該映像を、該透光板に投影して立体的に表示することを特徴とするグリーティングカードシステム。
【請求項２】
前記透光板が複数枚からなり、該複数の透光板が多角錘状に設けられていることを特徴とする請求項１記載のグリーティングカードシステム。
【請求項３】
前記透光板が複数枚からなり、該複数の透光板が互いに平行に設けられていることを特徴とする請求項１記載のグリーティングカードシステム。
【請求項４】
封筒に収納可能なグリーティングカードを用いたグリーティングカードシステムにおいて、
封筒に収納可能な略平板状に台板を折り畳み可能で、該台板を開いた状態で上方の少なくとも一部が開放されると共に該台板上に映像を表示するための表示手段を載置可能に起立する表示手段載置部と、該台板を開いた状態で、該表示手段載置部の内側に、該表示手段載置部に載置された該表示手段の表示面に対して傾斜して配置されると共に、傾斜面の表面が目視可能に設けられた透光板と、該台板を開いた状態で該透光板の下方に起立する突起とを有する立体表示手段である該グリーティングカードと、
該表示手段とは別に、該表示手段の表示面に表示させる該映像を保存する保存手段と、
を備え、
該台板を開いた状態で該台板上に起立する表示手段載置部に、該表示手段を載置し、該表示手段の表示面に表示された該映像を、該透光板を介して立体的に表示することを特徴とするグリーティングカードシステム。
【請求項５】
前記透光板が複数枚からなり、該複数の透光板が多角錘状に設けられていることを特徴とする請求項４記載のグリーティングカードシステム。
【請求項６】
前記透光板が複数枚からなり、該複数の透光板が互いに平行に設けられていることを特徴とする請求項４記載のグリーティングカードシステム。
【請求項７】
封筒に収納可能なグリーティングカードを用いたグリーティングカードシステムにおいて、
封筒に収納可能な略平板状に台板を折り畳み可能で、該台板を開いた状態で上方の少なくとも一部が開放されると共に該台板上に映像を表示するための表示手段を載置可能に起立する表示手段載置部と、該台板を開いた状態で、該表示手段載置部の内側に、該表示手段載置部に載置された該表示手段の表示面に対して傾斜して配置されると共に、傾斜面の表面が目視可能に設けられた透光板と、を有する立体表示手段である該グリーティングカードと、
情報通信ネットワーク上の該表示手段の表示面に表示させる該映像を保存する保存手段と、
該保存手段の該情報通信ネットワーク上の保存場所を示す情報を示す保存場所明示手段とを備え、
該台板を開いた状態で該台板上に起立する表示手段載置部に、該表示手段を載置し、
該保存場所明示手段に示される情報に基づき、該表示手段が該保存手段から該映像に係る情報を取得し、該表示手段の表示面に表示された該映像を、該透光板を介して立体的に表示することを特徴とするグリーティングカードシステム。
【請求項８】
前記透光板が複数枚からなり、該複数の透光板が多角錘状に設けられていることを特徴とする請求項７記載のグリーティングカードシステム。
【請求項９】
前記透光板が複数枚からなり、該複数の透光板が互いに平行に設けられていることを特徴とする請求項７記載のグリーティングカードシステム。
【発明の詳細な説明】
【技術分野】
【０００１】
本発明は、封筒に収納可能なグリーティングカードを用いたグリーティングカードシステムに関する。
【背景技術】
【０００２】
従来より、立体映像を携帯端末を用いて表示させる手段として、映像表示装置が知られている。例えば、特許文献１〜特許文献４に示す映像表示装置は、立体オブジェクトと、立体オブジェクトの両側方にて立体オブジェクト側から前方に延びる両側壁と、両側壁の間にて、かつ、立体オブジェクトよりも前方にて、上端部よりも下端部が前方に位置するように傾斜して配置される透明板と、を有し、両側壁は、表示部を備えた携帯端末を、表示部を下向きにして支持するものである。そして、この透明板に、表示部で表示された映像を、立体的に映し出すものである。
【０００３】
また、特許文献５の３次元映像表示装置の例では、背板と、背板の両側に折り畳み可能に接続された側板と、背板の上端に折り畳み可能に接続された天板と、天板に上部が接続された透光板と、を備え、背板、両側の側面及び天板によって囲まれ、内部に空間を有する本体箱構造が形成され、透光板は、空間において背板に対して４５°の角度で配置され、本体箱構造の上部には映像の取り込みのための開口が形成され、本体箱構造の正面には映像を視聴するための視聴ポートが形成されるものである。そして、この透光板に、立体的に映し出すものである。
【先行技術文献】
【特許文献】
【０００４】
【特許文献１】特開２０１５−３１８０８号公報
【特許文献２】特開２０１５−９０４０７号公報
【特許文献３】特開２０１５−９０４０８号公報
【特許文献４】特開２０１６−６５４２号公報
【特許文献５】特開２０１５−１７６１４１号公報
【発明の概要】
【発明が解決しようとする課題】
【０００５】
しかしながら、従来の映像表示装置では、構造が複雑で、グリーティングカードとして折り畳んで封筒に収納することに適さず、グリーティングカードとして気軽に郵送等することが困難である。
【０００６】
本発明は、このような事情に鑑みてなされたもので、映像を立体的に表示することができるグリーティングカードを、封筒に収納して簡易に郵送等で送ることができ、受け取った人は立体的な映像を気軽に楽しむことができるグリーティングカードシステムを提供することにある。
【課題を解決するための手段】
【０００７】
請求項１記載のグリーティングカードシステムは、封筒に収納可能な略平板状に台板を折り畳み可能で、台板を開いた状態で上方の少なくとも一部が開放されると共に台板上に映像を表示するための表示手段を載置可能に起立する表示手段載置部と、台板を開いた状態で、表示手段載置部の内側に、表示手段載置部に載置された表示手段の表示面に対して傾斜して配置されると共に、傾斜面の表面が目視可能に設けられた透光板と、を有する立体表示手段であるグリーティングカードと、表示手段とは別に、表示手段の表示面に表示させる映像を保存する保存手段とを備え、台板を開いた状態で台板上に起立する表示手段載置部に、表示手段を載置し、表示手段の表示面に表示された映像を、透光板に投影して立体的に表示することを特徴とする。
【０００８】
請求項２記載のグリーティングカードシステムは、透光板が複数枚からなり、複数の透光板が多角錘状に設けられていることを特徴とする。
【０００９】
請求項３記載のグリーティングカードシステムは、透光板が複数枚からなり、複数の透光板が互いに平行に設けられていることを特徴とする。
【００１０】
請求項４記載のグリーティングカードシステムは、封筒に収納可能な略平板状に台板を折り畳み可能で、台板を開いた状態で上方の少なくとも一部が開放されると共に台板上に映像を表示するための表示手段を載置可能に起立する表示手段載置部と、台板を開いた状態で、表示手段載置部の内側に、表示手段載置部に載置された表示手段の表示面に対して傾斜して配置されると共に、傾斜面の表面が目視可能に設けられた透光板と、台板を開いた状態で透光板の下方に起立する突起とを有する立体表示手段であるグリーティングカードと、表示手段とは別に、表示手段の表示面に表示させる映像を保存する保存手段と、を備え、台板を開いた状態で台板上に起立する表示手段載置部に、表示手段を載置し、表示手段の表示面に表示された映像を、透光板を介して立体的に表示することを特徴とする。
【００１１】
請求項５記載のグリーティングカードシステムは、透光板が複数枚からなり、複数の透光板が多角錘状に設けられていることを特徴とする。
【００１２】
請求項６記載のグリーティングカードシステムは、透光板が複数枚からなり、複数の透光板が互いに平行に設けられていることを特徴とする。
【００１３】
請求項７記載のグリーティングカードシステムは、封筒に収納可能な略平板状に台板を折り畳み可能で、台板を開いた状態で上方の少なくとも一部が開放されると共に台板上に映像を表示するための表示手段を載置可能に起立する表示手段載置部と、台板を開いた状態で、表示手段載置部の内側に、表示手段載置部に載置された表示手段の表示面に対して傾斜して配置されると共に、傾斜面の表面が目視可能に設けられた透光板と、を有する立体表示手段であるグリーティングカードと、情報通信ネットワーク上の表示手段の表示面に表示させる映像を保存する保存手段と、保存手段の情報通信ネットワーク上の保存場所を示す情報を示す保存場所明示手段とを備え、台板を開いた状態で台板上に起立する表示手段載置部に、表示手段を載置し、保存場所明示手段に示される情報に基づき、表示手段が保存手段から映像に係る情報を取得し、表示手段の表示面に表示された映像を、透光板を介して立体的に表示することを特徴とする。
【００１４】
請求項８記載のグリーティングカードシステムは、透光板が複数枚からなり、複数の透光板が多角錘状に設けられていることを特徴とする。
【００１５】
請求項９記載のグリーティングカードシステムは、透光板が複数枚からなり、複数の透光板が互いに平行に設けられていることを特徴とする。
【発明の効果】
【００１６】
本願の発明によれば、封筒に収納可能な略平板状に台板を折り畳み可能が立体表示手段であるグリーティングカードと、表示手段とは別に、表示手段の表示面に表示させる映像を保存する保存手段とを備え、台板を開いた状態で台板上に起立する表示手段載置部に、表示手段を載置し、表示手段の表示面に表示された映像を、透光板に投影して立体的に表示することが可能であることから、映像を立体的に表示することができるグリーティングカードを、封筒に収納して簡易に郵送等で送ることができ、受け取った人は立体的な映像を気軽に楽しむことができる。
【図面の簡単な説明】
【００１７】
【図１】本発明に係るグリーティングカードシステムの構成の一例を示す構成図である。
【図２】同グリーティングカードシステムで用いられるグリーティングカードの第１の実施例を示す説明図である。
【図３】同グリーティングカードシステムで用いられるグリーティングカードの第１の実施例を示す説明図である。
【図４】同グリーティングカードシステムで用いられるグリーティングカードの第１の実施例を示す説明図である。
【図５】同グリーティングカードシステムで用いられるグリーティングカードの第１の実施例を示す説明図である。
【図６】同グリーティングカードシステムで用いられるグリーティングカードの第１の実施例の変形例を示す説明図である。
【図７】同グリーティングカードシステムで用いられるグリーティングカードの第２の実施例を示す説明図である。
【図８】同グリーティングカードシステムで用いられるグリーティングカードの第３の実施例を示す説明図である。
【図９】同グリーティングカードシステムで用いられるグリーティングカードの第４の実施例を示す説明図である。
【図１０】同グリーティングカードシステムで用いられるグリーティングカードの第４の実施例を示す説明図である。
【図１１】同グリーティングカードシステムで用いられるグリーティングカードの第４の実施例を示す説明図である。
【発明を実施するための形態】
【００１８】
本願発明に係るグリーティングカードシステムは、封筒に収納可能なグリーティングカードを用いたもので、グリーティングカード自体が立体表示手段となって、映像を立体的に表示させることを可能とするものである。立体的に表示させる映像は、主に、グリーティングカードとしての内容を示すものであり、誕生日のお祝いや出産のお祝い等の送り主のお祝いの想いを込めた立体映像を受け取った人に伝える内容である。また、立体的に表示される映像は、送り主が受け取る人のために新たに作成したり、予め用意されているものに修正を加えたものでもよいし、予め提供されたものそのものであったりしてもよい。尚、グリーティングカードの内容、立体的に表示される映像によって、発明が限定されるものではない。
【００１９】
以下、まず、本願発明のグリーティングカードシステムについて、図１を用いて概要を説明する。図１は、本発明に係るグリーティングカードシステムの構成の一例を示す構成図である。グリーティングカードシステム１は、グリーティングカード２０、サーバ６等から構成されている。図１に示すグリーティングカード２０の詳細は、実施例１の説明で詳細に説明するが、グリーティングカード２０は、映像を立体的に表示する立体表示手段であり、折り畳んだ状態では、封筒に入る一般的なグリーティングカードと同様である。
【００２０】
グリーティングカード２０は、封筒に収納可能な略平板状に台板２２を折り畳み可能で、台板２２を開いた状態で上方の少なくとも一部が開放されると共に台板２２上に映像を表示するための表示手段を載置可能に起立する表示手段載置部２４と、台板２２を開いた状態で、表示手段載置部の内側に、表示手段載置部２４に載置された表示手段の表示面に対して傾斜して配置されると共に、傾斜面の表面が目視可能に設けられた透光板２６とを有する。
【００２１】
ここで、表示手段は、例えば、スマートフォンやタブレット端末のような携帯情報端末８であり、その表示面とは、携帯情報端末８の画面である表示面８ａである。以降の説明では、表示手段の例として、スマートフォンのような形態の携帯情報端末８を用いて説明する。尚、表示手段は、携帯情報端末８に限られるものではなく、少なくとも、その表示面８ａに、後述する透光板２６に映像を立体的に表示させための映像を投影させることができるものであればよい。尚、映像は、本来、表示面８ａに平面的に表示されるものであるが、グリーティングカード２０の表示手段載置部２４の傾斜した透光板２６に投影されることで、立体的に見えるものである。
【００２２】
サーバ６は、表示手段である携帯情報端末８の表示面８ａに表示させる映像が保存される保存手段であり、図１の例では、情報通信ネットワーク４を介して携帯情報端末８と接続可能になっている。すなわち、サーバ６は、情報通信ネットワーク４上に表示手段の表示面に表示させる映像を保存する保存手段である。携帯情報端末８の表示面８ａに表示させる映像が保存される保存手段としては、情報通信ネットワーク４を介して携帯情報端末８と接続可能なサーバ６に限られるものではなく、例えば、携帯情報端末８に着脱可能なメモリ手段であってもよい。すなわち、例えば、メモリ手段を、グリーティングカード２０と封筒に同封し、送るようにしてもよい。さらに、携帯情報端末８とサーバ６とを接続する情報通信ネットワーク４に関しても、公衆回線網でもよいしインターネット網でもよいし、無線でも有線でもよく、保存手段と表示手段とを接続可能であれば特に手段により限定されるものではない。
【００２３】
図１のグリーティングカード２０の台板２２には、バーコード１０が記載されている。このバーコード１０は、携帯情報端末８の表示面８ａに表示させる映像の情報通信ネットワーク４上の保存場所を示す情報を表示する保存場所明示手段の一例である。具体的には、バーコード１０は、情報通信ネットワーク４上のＵＲＬ等のアドレス情報を示すもので、携帯情報端末８で、バーコード１０を読み込むと、携帯情報端末８がサーバ６から映像を受領できる状態になる。尚、保存場所明示手段としては、グリーティングカード２０の台板２２に記載されたバーコード１０に限られるものではなく、例えば、グリーティングカード２０に同封された別の紙に、ＵＲＬ等の保存場所を示す情報を、直接書き込んだものでもよく、また、ＵＲＬ等の保存場所を示す情報を表示した特定のホームページや、メールのように、携帯情報端末８で直接的に保存場所を示す情報を把握可能な媒体を用いることも可能であり、保存場所明示手段の形態によって制限されるものではない。
【００２４】
このような構成のグリーティングカードシステム１の使用方法は、まず、送り主は、立体的に表示させたい映像を、保存手段であるサーバ６に格納させて準備する。次に、映像の保存場所を示す情報が記載されたグリーティングカード２０を、折り畳んだ状態で封筒に入れて送りたい人に送るようにする。尚、グリーティングカード２０を送るのは、送り主自身が自ら送るようにしてもよいし、バーコード１０の記載を含め、事業者に依頼するようにしてもよい。
【００２５】
グリーティングカード２０を受け取った人は、表示手段である携帯情報端末８の表示面８ａに映像を表示可能にするようにする。具体的には、携帯情報端末８で、映像の保存場所明示手段であるバーコード１０を読み込んで保存手段であるサーバ６から映像を受領したり、メモリ手段から映像を取得したりして、表示面８ａに映像を表示可能にする。
【００２６】
また、受け取った人は、折り畳まれたグリーティングカード２０を図１に示すように開き、携帯情報端末８を表示面８ａを下にして、表示手段載置部２４の上に載置する。この状態で、携帯情報端末８の表示面８ａに映像を表示させるようにする。すると、表示面８ａに表示された映像が、透光部２６に投影され、この透光部２６に投影された映像が、立体的に見える。
【００２７】
このような構成のグリーティングカードシステム１によれば、映像を立体的に表示することができるグリーティングカード２０を、封筒に収納して簡易に郵送等で送ることができ、受け取った人は立体的な映像を気軽に楽しむことができる。
【実施例１】
【００２８】
本実施例では、グリーティングカードの形態の一例を示す。図２〜図５は、同グリーティングカードシステムで用いられるグリーティングカードの第１の実施例を示す説明図である。図６は、同グリーティングカードシステムで用いられるグリーティングカードの第１の実施例の変形例を示す説明図である。
【００２９】
本実施例１のグリーティングカード２０は、台板２２、表示手段載置部２４、透光板２６等からなる。台板２２及び表示手段載置部２４は、一般的なグリーティングカードと同様に、紙製であるのが一般的であるが、紙製に限られるものではなく、例えば、薄い樹脂製や木製の突き板のようなものでもよい。台板２２は、封筒に収納可能に二つ折りできる形状・サイズで、折り畳んだ状態で、表示手段載置部２４と透光板２６を含め、封筒に収納可能である。すなわち、台板２２を二つに折り畳んだ状態では、表示手段載置部２４と透光板２６も、略平面上に折り畳まれる形状である。
【００３０】
表示手段載置部２４は、台板２２を開いた状態で上方の少なくとも一部が開放される（映像入射口２４ｂ）と共に台板２２上に映像を表示するための表示手段である携帯情報端末８を載置可能に起立する構造である。また、台板２２を開いた状態で、表示手段載置部２４の内側に、透光板２６が、表示手段載置部２４に載置された携帯情報端末８の表示面８ａに対して傾斜して配置されると共に、傾斜面の表面が目視可能に設けられている。透光板２６は、透光可能で且つ、表面に映像が投影される性質を有しているもので、樹脂板等が考えられる。尚、透光板２６は、表示手段載置部２４の内側に設けられており、透光板２６をのぞき見る部分として、表示手段載置部２４には目視口２４ａが設けられている。
【００３１】
次のこのような構造のグリーティングカード２０の使用方法を説明する。まず、グリーティングカード２０の台板２２が閉じ、グリーティングカード２０が平坦になっている状態で、封筒から取り出し、図２に示すように、例えば、台板２２の右面２２ａを水平にした状態で、左面２２ｂを開いていく。すると、台板２２の右面２２ａと左面２２ｂとの間に折り畳まれていた表示手段載置部２４が、徐々に立ち上がっていく。
【００３２】
そして、台板２２が完全に開いた状態で、図３に示すように、表示手段載置部２４が完全に立ち上がる。この状態で、表示手段載置部２４の上方が開放されて映像入射口２４ｂになっている。また、表示手段載置部２４の映像入射口２４ｂの一片から、傾斜して透光板２６が設けられ、表示手段載置部２４の側面であり透光板２６の面がのぞき込める面が開口し目視口２４ａになっている。
【００３３】
次に、図４に示すように、映像を表示面８ａに表示可能にした携帯情報端末８を、表示面８ａを下、すなわち表示面８ａが透光板２６側になるように、表示手段載置部２４に載置する。そして、携帯情報端末８の表示面８ａに映像を表示させると、映像が透光板２６に投影され、図５に示すように、目視口２４ａをのぞき込むと、映像（例えば踊り子Ｐ）を立体的に表示されている。そして、映像が動くことで、例えば、踊り子Ｐが踊る姿が立体的に表示されることになる。
【００３４】
尚、台板２２を開いた状態で透光板２６の下方に起立する突起２８を設けることで、透光板２６の下に、舞台装置のようなものを配置することが可能になり、この状態で映像を投稿板２６に投影すると、図６に示すように、例えば、踊り子Ｐが台に乗って踊っているように見えることになる。
【実施例２】
【００３５】
本実施例では、グリーティングカードの形態の一例を示す。図７は、同グリーティングカードシステムで用いられるグリーティングカードの第２の実施例を示す説明図である。
【００３６】
本実施例２のグリーティングカード３０は、台板３２、表示手段載置部３４、透光板３６（３６ａ〜３６ｄ）等からなる。台板３２及び表示手段載置部３４は、一般的なグリーティングカードと同様に、紙製であるのが一般的であるが、紙製に限られるものではなく、例えば、薄い樹脂製や木製の突き板のようなものでもよい。台板３２は、封筒に収納可能に二つ折りできる形状・サイズで、折り畳んだ状態で、表示手段載置部３４と透光板３６（３６ａ〜３６ｄ）を含め、封筒に収納可能である。すなわち、台板３２を二つに折り畳んだ状態では、表示手段載置部３４と透光板３６（３６ａ〜３６ｄ）も、略平面上に折り畳まれる形状である。
【００３７】
表示手段載置部３４は、台板３２を開いた状態で上方の少なくとも一部が開放される（映像入射口３４ｅ）と共に台板３２上に映像を表示するための表示手段である携帯情報端末８を載置可能に起立する構造である。また、台板３２を開いた状態で、表示手段載置部３４の内側に、透光板３６が、表示手段載置部３４に載置された携帯情報端末８の表示面８ａに対して傾斜して配置されると共に、傾斜面の表面が目視可能に設けられている。但し、実施例１の透光板２６とは異なり、本実施例２の透光板３６は、複数の透光板３６ａ〜３６ｄからなり、且つ四角錐状に設けられている。透光板３６（３６ａ〜３６ｄ）は、透光可能で且つ、表面に映像が投影される性質を有しているもので、樹脂板等が考えられる。そして、各透光板３６ａ〜３６ｄを目視可能に、表示手段載置部３４の側面のそれぞれに、目視口３４ａ〜３４ｄが設けられている。
【００３８】
このグリーティングカード３０の使用方法は、実施例１のグリーティングカード２０と同様であるが、特に、携帯情報端末８の表示面８ａで表示される映像の透光板３６ａ〜３６ｄのそれぞれに投影する内容を、例えば、踊り子Ｐの左右前後の姿にそれぞれすることで、透光板３６全体としては踊り子Ｐが立体的に表示されるが、また、目視口３４ａ〜３４ｂのそれぞれをのぞき込むと、踊り子Ｐの左右前後をそれぞれ立体的に目視することが可能になる。尚、図７の実施例２の例では、透光板３６が四角錐状について説明したが、画数・面数によって限定されるものではなく、多角錘状であればよい。
【実施例３】
【００３９】
本実施例では、グリーティングカードの形態の一例を示す。図８は、同グリーティングカードシステムで用いられるグリーティングカードの第３の実施例を示す説明図である。
【００４０】
本実施例３のグリーティングカード４０は、台板４２、表示手段載置部４４、透光板４６等からなる。台板４２及び表示手段載置部４４は、一般的なグリーティングカードと同様に、紙製であるのが一般的であるが、紙製に限られるものではなく、例えば、薄い樹脂製や木製の突き板のようなものでもよい。台板４２は、封筒に収納可能に二つ折りできる形状・サイズで、折り畳んだ状態で、表示手段載置部４４と透光板４６を含め、封筒に収納可能である。すなわち、台板４２を二つに折り畳んだ状態では、表示手段載置部４４と透光板４６も、略平面上に折り畳まれる形状である。
【００４１】
表示手段載置部４４は、台板４２をＬ字状に開いた状態で台板４２に対して階段状に立ち上がり、上方の少なくとも一部が開放される（映像入射口４４ｂ）と共に台板４２上に映像を表示するための表示手段である携帯情報端末８を載置可能に起立する構造である。また、台板４２をＬ字状に開いた状態で、表示手段載置部４４の内側に、透光板４６が、表示手段載置部４４に載置された携帯情報端末８の表示面８ａに対して傾斜して配置されると共に、傾斜面の表面が目視可能に設けられている。尚、透光板４６は、表示手段載置部４４の内側に設けられており、透光板４６をのぞき見る部分として、表示手段載置部４４には目視口４４ａが設けられている。
【００４２】
このグリーティングカード４０の使用方法は、実施例１のグリーティングカード２０と同様であり、映像を表示面８ａに表示可能にした携帯情報端末８を、表示面８ａを下、すなわち表示面８ａが透光板４６側になるように、表示手段載置部４４に載置する。そして、携帯情報端末８の表示面８ａに映像を表示させると、映像が透光板４６に投影され、目視口４４ａをのぞき込むと、映像（例えば踊り子Ｐ）を立体的に表示されている。そして、映像が動くことで、例えば、踊り子Ｐが踊る姿が立体的に表示されることになる。
【実施例４】
【００４３】
本実施例では、グリーティングカードの形態の一例を示す。図９〜図１１は、同グリーティングカードシステムで用いられるグリーティングカードの第４の実施例を示す説明図である。
【００４４】
本実施例４のグリーティングカード５０は、台板５２、表示手段載置部５４、透光板５６，５８等からなる。台板５２及び表示手段載置部５４は、一般的なグリーティングカードと同様に、紙製であるのが一般的であるが、紙製に限られるものではなく、例えば、薄い樹脂製や木製の突き板のようなものでもよい。台板５２は、封筒に収納可能に二つ折りできる形状・サイズで、折り畳んだ状態で、表示手段載置部５４と透光板５６，５８を含め、封筒に収納可能である。すなわち、台板５２を二つに折り畳んだ状態では、表示手段載置部５４と透光板５６，５８も、略平面上に折り畳まれる形状である。
【００４５】
図９及び図１０に示すように、表示手段載置部５４は、台板５２をＬ字状に開いた状態で台板５２に対して階段状に立ち上がり、上方の少なくとも二ヶ所が開放される（映像入射口５４ｂ，５４ｃ）と共に台板５２上に映像を表示するための表示手段である携帯情報端末８を載置可能に起立する構造である。また、台板５２をＬ字状に開いた状態で、表示手段載置部５４の内側に、透光板５６と透光板５８が、表示手段載置部５４に載置された携帯情報端末８の表示面８ａに対して傾斜して配置されると共に、傾斜面の表面が表示手段載置部５４の側方の開口である目視口５４ａから目視可能に設けられている。尚、透光板５６と透光板５８とは、互いに平行に設けられている。尚、透光板５６，５８の枚数及び映像入射口５４ｂ，５４ｃの数は任意に定めればよい。
【００４６】
このグリーティングカード５０の使用方法は、実施例１のグリーティングカード２０と同様であり、映像を表示面８ａに表示可能にした携帯情報端末８を、表示面８ａを下、すなわち表示面８ａが透光板５６，５８側になるように、表示手段載置部５４に載置する。そして、携帯情報端末８の表示面８ａに映像を表示させると、映像が透光板５６，５８に投影され、目視口５４ａをのぞき込むと、映像（例えば踊り子Ｐ）を立体的に表示されている。そして、映像が動くことで、例えば、踊り子Ｐが踊る姿が立体的に表示されることになる。
【００４７】
尚、携帯情報端末８の表示面８ａで表示される映像の透光板５６，５８のそれぞれに投影する内容を、例えば、透光板５６が踊り子Ｐの姿で、透光板５８には雪Ｓが散る映像にそれぞれすることで、図１１に示すように目視口５４ａをのぞき込むと、踊り子Ｐが雪が散る中で踊っている姿を立体的に目視することが可能になる。このように、透光板５６，５８に投影する映像を変えることで、様々な情景を映し出すことができるようになる。
【産業上の利用可能性】
【００４８】
以上のように、本発明によれば、映像を立体的に表示することができるグリーティングカードを、封筒に収納して簡易に郵送等で送ることができ、受け取った人は立体的な映像を気軽に楽しむことができるグリーティングカードシステムを提供することができる。
【符号の説明】
【００４９】
１・・・・・グリーティングカードシステム
４・・・・・情報通信ネットワーク
６・・・・・サーバ
８・・・・・携帯情報端末
８ａ・・・・表示面
１０・・・・バーコード
２０・・・・グリーティングカード
２２・・・・台板
２２ａ・・・右面
２２ｂ・・・左面
２４・・・・表示手段載置部
２４ａ・・・目視口
２４ｂ・・・映像入射口
２６・・・・透光板
２８・・・・突起
３０・・・・グリーティングカード
３２・・・・台板
３４・・・・表示手段載置部
３４ａ・・・目視口
３４ｂ・・・目視口
３４ｃ・・・目視口
３４ｄ・・・目視口
３４ｅ・・・映像入射口
３６・・・・透光板
３６ａ・・・透光板
３６ｂ・・・透光板
３６ｃ・・・透光板
３６ｄ・・・透光板
４０・・・・グリーティングカード
４２・・・・台板
４４・・・・表示手段載置部
４４ａ・・・目視口
４４ｂ・・・映像入射口
４６・・・・透光板
５０・・・・グリーティングカード
５２・・・・台板
５４・・・・表示手段載置部
５４ａ・・・目視口
５４ｂ・・・映像入射口
５４ｃ・・・映像入射口
５６・・・・透光板
５８・・・・透光板
【図１】
2017227684.tif 000003
【図２】
2017227684.tif 000004
【図３】
2017227684.tif 000005
【図４】
2017227684.tif 000006
【図５】
2017227684.tif 000007
【図６】
2017227684.tif 000008
【図７】
2017227684.tif 000009
【図８】
2017227684.tif 000010
【図９】
2017227684.tif 000011
【図１０】
2017227684.tif 000012
【図１１】
2017227684.tif 000013